(57)【要約】映像輝度信号を入力し、輝度信号差分に基づいてエッジを検出する。検出したエッジは、ブロックに含まれる画素数に応じた数からなり、画像の水平位置に対応する複数のカウンタによりカウントされる。各カウンタの値を評価し、ブロック境界位置を特定する。特定したブロック境界位置における画素信号に対してフィルタ処理を行うことで、ブロック歪が低減される。
2005004489.tif 000002
【特許請求の範囲】
【請求項１】
画像のブロック符号化に伴うブロック歪を検出するためのブロック歪検出装置であって、
連続する複数の画素信号の差分に基づいて、前記複数の画素信号のそれぞれにおけるエッジの有無を検出するエッジ検出手段と、
ブロックに含まれる画素の数に応じた複数のカウンタを含み、前記エッジ判定手段のエッジ検出結果を、水平同期信号に同期した第１のタイミングで、前記複数のカウンタのそれぞれに順次取り込んでカウントするエッジカウント手段と、
前記複数のカウンタのカウント値を、垂直同期信号に同期した第２のタイミングで順次取り込み、各カウンタがエッジ検出結果を取り込んだ順序と、各カウンタのカウント値と、に基づいて、ブロック境界を特定するブロック境界特定手段と
を有するブロック歪検出装置。
【請求項２】
前記エッジカウント手段は、各カウンタを前記第２のタイミングでリセットする
請求項１記載のブロック歪検出装置。
【請求項３】
前記エッジ検出手段は、連続するｎ回（ｎ：整数）の画素信号を順次取り込み、それぞれ隣接する（ｎ−１）個の差分絶対値を順次算出し、
前記（ｎ−１）個の差分絶対値のうち、中央に位置する差分絶対値を注目差分絶対値としたとき、
前記注目差分絶対値以外の差分絶対値が所定値以下であり、かつ
前記注目差分絶対値が、前記注目差分絶対値以外の差分絶対値の平均より所定値倍以上である場合に、
前記注目差分絶対値がある画素信号間でエッジが有ることを検出する
請求項２記載のブロック歪検出装置。
【請求項４】
前記エッジ検出手段は、連続するｎ回（ｎ：整数）の画素信号を順次取り込み、それぞれ隣接する（ｎ−１）個の差分絶対値を順次算出し、
前記（ｎ−１）個の差分絶対値のうち、中央に位置する差分絶対値を注目差分絶対値としたとき、
前記注目差分絶対値が、所定の範囲内の値である場合に、
前記注目差分絶対値がある画素信号間で、エッジが有ることを検出する
請求項２記載のブロック歪検出装置。
【請求項５】
前記エッジ検出手段は、連続するｎ回（ｎ：整数）の画素信号を順次取り込み、それぞれ隣接する（ｎ−１）個の差分絶対値を順次算出し、
前記（ｎ−１）個の差分絶対値のうち、中央に位置する差分絶対値を注目差分絶対値としたとき、
前記注目差分絶対値以外の差分絶対値が所定値以下であり、かつ
前記注目差分絶対値が、前記注目差分絶対値以外の差分絶対値の平均より所定値倍以上であり、かつ
前記注目差分絶対値が、所定の範囲内の値である場合に、
前記注目差分絶対値がある画素信号間で、エッジが有ることを検出する
請求項２記載のブロック歪検出装置。
【請求項６】
前記ブロック符号化がＮ画素×Ｎ画素のブロック単位で行われる場合、前記エッジカウント手段の複数のカウンタは、Ｎの複数倍の数からなる
請求項２記載のブロック歪検出装置。
【請求項７】
前記ブロック境界特定手段は、前記複数のカウンタの取り込み順に従って、各カウンタのカウント値を取り込み、各カウント値を昇順に並べ替え、
前記カウンタが、エッジ有の場合にカウントアップするときは、
第１番目と第２番目に大きいカウント値を有する２つのカウンタの取り込む順の差がＮである場合に、前記２つのカウンタに対応する水平位置をブロック境界位置として特定する
請求項６記載のブロック歪検出装置。
【請求項８】
前記ブロック境界特定手段は、前記複数のカウンタの取り込み順に従って、各カウンタのカウント値を取り込み、各カウント値を昇順に並べ替え、
前記カウンタが、エッジ有の場合にカウントダウンするときは、
第１番目と第２番目に小さいカウント値を有する２つのカウンタの取り込む順の差がＮである場合に、前記２つのカウンタに対応する水平位置をブロック境界位置として特定する
請求項６記載のブロック歪検出装置。
【請求項９】
前記ブロック境界特定手段は、前記複数のカウンタの取り込み順に従って、各カウンタのカウント値を取り込み、各カウント値を昇順に並べ替え、
前記カウンタが、エッジ有の場合にカウントアップするときは、
第１番目と第２番目に大きいカウント値を有する２つのカウンタの取り込む順の差がＮであり、かつ
第２番目に大きいカウント値は所定の値以上である場合に、前記２つのカウンタに対応する水平位置をブロック境界位置として特定する
請求項６記載のブロック歪検出装置。
【請求項１０】
前記ブロック境界特定手段は、前記複数のカウンタの取り込み順に従って、各カウンタのカウント値を取り込み、各カウント値を昇順に並べ替え、
前記カウンタが、エッジ有の場合にカウントダウンするときは、
第１番目と第２番目に小さいカウント値を有する２つのカウンタの取り込む順の差がＮであり、かつ
第２番目に小さいカウント値は所定の値以下である場合に、前記２つのカウンタに対応する水平位置をブロック境界位置として特定する
請求項６記載のブロック歪検出装置。
【請求項１１】
前記ブロック境界特定手段は、前記複数のカウンタの取り込み順に従って、各カウンタのカウント値を取り込み、各カウント値を昇順に並べ替え、
前記カウンタが、エッジ有の場合にカウントアップするときは、
第１番目と第２番目に大きいカウント値を有する２つのカウンタの取り込む順の差がＮであり、かつ
第２番目に大きいカウント値が、第３番目に大きいカウント値の所定値倍以上である場合に、前記２つのカウンタに対応する水平位置をブロック境界位置として特定する
請求項６記載のブロック歪検出装置。
【請求項１２】
前記ブロック境界特定手段は、前記複数のカウンタの取り込み順に従って、各カウンタのカウント値を取り込み、各カウント値を昇順に並べ替え、
前記カウンタが、エッジ有の場合にカウントダウンするときは、
第１番目と第２番目に小さいカウント値を有する２つのカウンタの取り込む順の差がＮであり、かつ
第２番目に小さいカウント値が、第３番目に小さいカウント値の所定値倍以下である場合に、前記２つのカウンタに対応する水平位置をブロック境界位置として特定する
請求項６記載のブロック歪検出装置。
【請求項１３】
前記ブロック境界特定手段は、前記複数のカウンタの取り込み順に従って、各カウンタのカウント値を取り込み、各カウント値を昇順に並べ替え、
前記カウンタが、エッジ有の場合にカウントアップするときは、
第１番目と第２番目に大きいカウント値を有する２つのカウンタの取り込む順の差がＮであり、かつ
第２番目に大きいカウント値は所定の値以上であり、かつ
第２番目に大きいカウント値が、第３番目に大きいカウント値の所定値倍以上である場合に、前記２つのカウンタに対応する水平位置をブロック境界位置として特定する
請求項６記載のブロック歪検出装置。
【請求項１４】
前記ブロック境界特定手段は、前記複数のカウンタの取り込み順に従って、各カウンタのカウント値を取り込み、各カウント値を昇順に並べ替え、
前記カウンタが、エッジ有の場合にカウントダウンするときは、
第１番目と第２番目に小さいカウント値を有する２つのカウンタの取り込む順の差がＮであり、かつ
第２番目に小さいカウント値は所定の値以下であり、かつ
第２番目に小さいカウント値が、第３番目に小さいカウント値の所定値倍以下である場合に、前記２つのカウンタに対応する水平位置をブロック境界位置として特定する
請求項６記載のブロック歪検出装置。
【請求項１５】
画像のブロック符号化に伴うブロック歪を検出するためのブロック歪検出方法であって、
連続する複数の画素信号の差分に基づいて、前記複数の画素信号のそれぞれにおけるエッジの有無を検出し、
前記エッジ判定手段のエッジ検出結果を、水平同期信号に同期した第１のタイミングで、ブロックに含まれる画素の数に応じた複数のカウンタのそれぞれに順次取り込んでカウントし、
前記複数のカウンタのカウント値を、垂直同期信号に同期した第２のタイミングで順次取り込み、各カウンタがエッジ検出結果を取り込んだ順序と、各カウンタのカウント値と、に基づいて、ブロック境界として特定する
ブロック歪検出方法。
【請求項１６】
アナログ映像信号から抽出した画素信号に基づいて映像信号を処理する映像信号処理装置であって、
連続する複数の画素信号の差分に基づいて、前記複数の画素信号のそれぞれにおけるエッジの有無を検出するエッジ検出手段と、
ブロックに含まれる画素の数に応じた複数のカウンタを含み、前記エッジ判定手段のエッジ検出結果を、水平同期信号に同期した第１のタイミングで、前記複数のカウンタのそれぞれに順次取り込んでカウントするエッジカウント手段と、
前記複数のカウンタのカウント値を、垂直同期信号に同期した第２のタイミングで順次取り込み、各カウンタがエッジ検出結果を取り込んだ順序と、各カウンタのカウント値と、に基づいて、ブロック境界を特定するブロック境界特定手段と、
前記ブロック境界特定手段により特定されたブロック境界位置において、画素信号をフィルタ処理するフィルタ手段と
を有する映像信号処理装置。
【発明の詳細な説明】
【技術分野】  本発明は、アナログ映像信号から、画像のブロック符号化に伴うブロック歪を検出するためのブロック歪検出装置及びブロック歪検出方法、並びに映像信号処理装置に関する。
【背景技術】  従来、静止画データや動画データ等を効率よく圧縮符号化するための符号化方式として、ブロックＤＣＴ（離散コサイン変換）符号化等のブロック符号化が知られている。
このようなブロック符号化による画像データの圧縮／伸張の際には、ブロック歪（ブロックノイズ）が発生することがあり、圧縮率が高くなるほどノイズを発生させやすい。このブロック歪は、ＤＣＴ符号化等がブロック内の閉じた空間で変換を行っており、ブロック境界での連続性が損なわれるため、隣接ブロックとの境界部での再生データ値のずれが雑音として知覚されるものである。
そして、このブロック歪を含んだデータがその後アナログデータに変換されると、ブロックの境界がどこにあるかについての情報を得る手段がないため、ブロック歪を低減することがいっそう困難になる。
従来、この問題を解決するため、例えば特開２０００−３５０２０２公報（第３−４ページ、第１−２図）では、入力輝度信号に基づいて微分信号を出力し、該微分信号から孤立微分点を検出し、画素ブロックの周期に合わせて孤立微分点を積分処理し、画素ブロック周期で発生している孤立微分点の情報を累積加算することにより、ブロック歪の有無を判定する技術が提案されている。
しかしながら、この方式では、輝度変化の激しいシーンにおいて輝度信号の変化とブロック境界との区別を精度よく行うことができない。例えば、高周波成分を多く含んだ画像、柱等の画像及びパルス状のノイズ等に対して、孤立微分点が検出され、この検出された孤立微分点を累積加算することによりブロック歪の有無を誤判定する可能性がある。
従って、誤判定されたブロックの境界により映像信号処理を行うことで、画質の劣化が発生するという問題がある。
【発明の開示】
本発明の目的は、ブロック境界の情報が失われた映像信号に対して、誤検出を最小限にした精度の高いブロック歪検出装置、映像信号処理装置及びブロック歪検出方法を提供することである。
上記の目的を達成するため、本発明の第１の観点は、画像のブロック符号化に伴うブロック歪を検出するためのブロック歪検出装置であって、連続する複数の画素信号の差分に基づいて、前記複数の画素信号のそれぞれにおけるエッジの有無を検出するエッジ検出手段と、ブロックに含まれる画素の数に応じた複数のカウンタを含み、前記エッジ判定手段のエッジ検出結果を、水平同期信号に同期した第１のタイミングで、前記複数のカウンタのそれぞれに順次取り込んでカウントするエッジカウント手段と、前記複数のカウンタのカウント値を、垂直同期信号に同期した第２のタイミングで順次取り込み、各カウンタがエッジ検出結果を取り込んだ順序と、各カウンタのカウント値と、に基づいて、ブロック境界を特定するブロック境界特定手段とを有する。
また、上記の目的を達成するため、本発明の第２の観点は、画像のブロック符号化に伴うブロック歪を検出するためのブロック歪検出方法であって、連続する複数の画素信号の差分に基づいて、前記複数の画素信号のそれぞれにおけるエッジの有無を検出し、前記エッジ判定手段のエッジ検出結果を、水平同期信号に同期した第１のタイミングで、ブロックに含まれる画素の数に応じた複数のカウンタのそれぞれに順次取り込んでカウントし、前記複数のカウンタのカウント値を、垂直同期信号に同期した第２のタイミングで順次取り込み、各カウンタがエッジ検出結果を取り込んだ順序と、各カウンタのカウント値と、に基づいて、ブロック境界として特定する。
また、上記の目的を達成するため、本発明の第３の観点は、アナログ映像信号から抽出した画素信号に基づいて映像信号を処理する映像信号処理装置であって、連続する複数の画素信号の差分に基づいて、前記複数の画素信号のそれぞれにおけるエッジの有無を検出するエッジ検出手段と、ブロックに含まれる画素の数に応じた複数のカウンタを含み、前記エッジ判定手段のエッジ検出結果を、水平同期信号に同期した第１のタイミングで、前記複数のカウンタのそれぞれに順次取り込んでカウントするエッジカウント手段と、前記複数のカウンタのカウント値を、垂直同期信号に同期した第２のタイミングで順次取り込み、各カウンタがエッジ検出結果を取り込んだ順序と、各カウンタのカウント値と、に基づいて、ブロック境界を特定するブロック境界特定手段と、前記ブロック境界特定手段により特定されたブロック境界位置において、画素信号をフィルタ処理するフィルタ手段とを有する。
本発明の第１の観点に係るブロック歪検出装置によれば、エッジ検出手段は、連続する複数の画素信号の差分に基づいて、前記複数の画素信号のそれぞれにおけるエッジの有無を検出する。エッジカウント手段は、ブロックに含まれる画素の数に応じた複数のカウンタを含み、前記エッジ判定手段のエッジ検出結果を、水平同期信号に同期した第１のタイミングで、前記複数のカウンタのそれぞれに順次取り込んでカウントする。ブロック境界特定手段は、前記複数のカウンタのカウント値を、垂直同期信号に同期した第２のタイミングで順次取り込み、各カウンタがエッジ検出結果を取り込んだ順序と、各カウンタのカウント値と、に基づいて、ブロック境界を特定する。
複数のカウンタは、それぞれ画面の水平位置に対応するので、複数のカウンタの各カウント値に応じてブロック歪が発生している水平位置を定量的に検出することが可能となる。
【図面の簡単な説明】  図１は、第１の実施形態に係るブロック歪検出装置のブロック図である。
図２は、エッジ検出回路２の回路ブロック図である。
図３は、エッジカウント回路３と境界判別回路４の回路ブロック図である。
図４は、エッジ判定回路２４でによるエッジ判定処理を説明するための図である。
図５は、エッジ判定回路２４でによるエッジ判定処理を説明するための図である。
図６は、エッジ判定回路２４でによるエッジ判定処理を説明するための図である。
図７は、水平位置設定カウンタ３１の動作を説明するためのタイミングチャートである。
図８は、エッジ回数カウンタ３４＿１〜３４＿１６の動作を説明するためのタイミングチャートである。
図９は、第２の実施形態に係る映像信号処理装置のブロック図である。
図１０は、第３の実施形態に係る映像信号処理装置のブロック図である。
【符号の説明】
１…ブロックノイズ検出装置
２…エッジ検出回路
２１…遅延回路
２２…演算器
２３＿１…演算器
２３＿２〜２３＿６…遅延回路
２４…エッジ判定回路
３…エッジカウント回路
３１…水平位置設定カウンタ
３２…カウンタ切替スイッチ
３３＿１〜３３＿１６…カウンタ接点
３４＿１〜３４＿１６…エッジ回数カウンタ
４…境界判別回路
４１…カウント値ソート部
４２…ブロック境界判定部
４３…時間積分部
５…フィルタ
１１０，１１０ａ…映像信号処理装置
１１０，１１０ａ…Ａ／Ｄ変換器
１２０，１２０ａ…ＹＣ分離部
１３０，１３０ａ…ブロックノイズ検出部
【発明を実施するための最良の形態】  第１の実施の形態
図１は、本発明の一実施形態に係るブロック歪検出装置１のブロック図である。図１に示すように、ブロック歪検出装置１は、エッジ検出回路（ＥＤＧＥ）２と、エッジカウント回路（Ｅ＿ＣＮＴ）３と、境界判別回路（ＢＮＲＹ）４と、フィルタ（ＦＩＬ）５とを有する。
なお、エッジ検出回路２、エッジカウント回路３、および境界判別回路４は、それぞれ、本発明のエッジ検出手段、エッジカウント手段、およびブロック境界特定手段の一実施形態である。
エッジ検出回路２は、輝度信号Ｙを入力し、所定の条件に基づいて輝度信号Ｙのエッジ検出する。
エッジカウント回路３は、複数のカウンタを含み、画素単位で対象カウンタが切り替わるように構成されている。当該カウンタは、エッジ検出回路２で検出されたエッジの有無に応じて、順次カウントを行う。
境界判別回路４は、エッジカウント回路３で積算されたカウンタの値を、垂直同期信号に同期して並べ替え、所定の条件に基づいて評価を行い、ブロックの境界を判別する。
フィルタ５は、境界判別回路４でブロックの境界位置が判別された場合、その位置で輝度信号Ｙに対しフィルタリング処理を施す。図１において、フィルタリング処理後の信号Ｓ５が、ブロック歪が低減された映像信号となる。
以下、ブロック歪検出装置１の各構成要素について詳細に説明する。
図２は、エッジ検出回路２のブロック図である。図２に示すように、エッジ検出回路２は、遅延回路２１と、演算器２２と、演算器２３＿１と、複数の遅延回路２３＿２〜２３＿７と、エッジ判定回路２４から構成される。
遅延回路２１は、入力した輝度信号Ｙに対して、画素サンプリング１回分の遅延を与える。従って、遅延回路２１においては、取り込んだ画素単位でのサンプリングにおける輝度信号Ｙの前回値が保持されることになる。
演算器２２は、遅延回路２１で保持している輝度信号Ｙの前回値と、現在入力している輝度信号Ｙの今回値の差分演算を行う。
演算器２３＿１は、演算器２２で求められた輝度信号Ｙの前回値と今回値の差分演算値の絶対値演算を行う。図２では、演算器２３＿１の出力値がｄ１となる。
遅延回路２３＿２〜２３＿７は、入力した信号に対して、それぞれ画素サンプリング１回分の遅延を与える。従って、遅延回路２８＿２〜２３＿７では、入力した連続８個の輝度信号Ｙのそれぞれ隣接する差分の絶対値を保持することになる。図２では、遅延回路２３＿２〜２３＿７の出力値がそれぞれｄ２〜ｄ７である。
エッジ判定回路（Ｅ＿ＪＤＧ）２４は、演算器２３＿１及び遅延回路２３＿２〜２３＿７の各出力値ｄ１〜ｄ７に基づいて、後述する所定の条件に合致するか否かを画素単位で評価し、エッジの有無を検出する。そして、エッジを検出した場合は「１」を出力し、エッジを検出しない場合は「０」を出力する。
次に、エッジカウント回路３と境界判別回路４の構成について説明する。
図３は、エッジカウント回路３と境界判別回路４のブロック図である。図３に示すように、エッジカウント回路３は、水平位置設定カウンタ（ＣＴＲ）３１と、カウンタ切替スイッチ３２と、１６個のカウンタ接点３３＿１〜３３＿１６と、１６個のエッジ回数カウンタ（ＣＴＲ）３４＿１〜３４＿１６を有する。
水平位置設定カウンタ３１は、例えば４ビットのカウンタであり、画素のサンプリングクロックに応じてカウントアップし、画像の水平同期信号に同期したタイミングでリセットされる。
カウンタ切替スイッチ３２は、水平位置設定カウンタ３１に応じて画素単位でカウンタ接点３３＿１〜３３＿１６を切り換える。
エッジ回数カウンタ３４＿１〜３４＿１６は、それぞれカウンタ接点３３＿１〜３３＿１６に接続され、カウンタ切替スイッチ３２により設定されたカウンタ接点３３＿１〜３３＿１６を通して、エッジ判定回路２４の出力信号Ｓ２４（１：エッジ有、０：エッジ無）をカウントする。また、当該カウント値は、画像の垂直同期信号に同期したタイミングでリセットされる。
次に、図３に示す境界判別回路４の構成について説明する。図３に示すように、境界判別回路４は、カウント値ソート部（ＳＯＲＴ）４１と、ブロック境界判定部（Ｂ＿ＪＤＧ）４２と、時間積分部（Σ）４３とを有する。
カウント値ソート部４１は、エッジカウント回路３のエッジ回数カウンタ３４＿１〜３４＿１６の各カウント値を保持するレジスタであり、図３に示したとおり、画像の垂直同期信号に同期したタイミングで、順次エッジ回数カウンタ３４＿１〜３４＿１６の各カウント値を取り込む。さらに、カウント値ソート部４１は、取り込んだエッジ回数カウンタ３４＿１〜３４＿１６の各カウント値を昇順に並べ替える。
ブロック境界判定部４２は、カウント値ソート部４１において昇順に並べ替えられたエッジ回数カウンタ３４＿１〜３４＿１６の各カウント値を、所定の条件に基づいて評価して、ブロック境界の判定を行う。
時間積分部４３は、ブロック境界判定部４２の判定結果について、所定の画像のフィールド間、時間積分を施し、その結果からブロック境界位置を決定し、ブロック境界の有無とブロック境界の位置情報を出力する。
以上、ブロック歪検出装置１の各構成要素について説明した。
次に、以上のような構成要素を有するブロック歪検出装置１の動作について詳細に説明する。
初めに、エッジ検出回路２の動作について、図２を参照して説明する。
まず、遅延回路２１には映像輝度信号Ｙが入力される。遅延回路２１は、入力された輝度信号Ｙに画素サンプリング１回分に相当する遅延を与え、このデータを保持する。すなわち、遅延回路２１には、前回入力された輝度信号の前回値Ｙ（ｎ−１）が保持される。
今回入力された画素単位の輝度信号Ｙ（ｎ）は、演算器２２において、遅延回路２１に保持されている前回値Ｙ（ｎ−１）との差分演算が行われ、Ｙ（ｎ）−Ｙ（ｎ−１）が求められる。
演算器２３ １では、演算器２２で求められた差分演算値（Ｙ（ｎ）−Ｙ（ｎ−１））の絶対値演算が行われ、｜Ｙ（ｎ）−Ｙ（ｎ−１）｜が算出される。従って、ここでは、ｄ１＝｜Ｙ（ｎ）−Ｙ（ｎ−１）｜となる。
遅延回路２３＿２では、演算器２３＿１で求められた絶対値｜Ｙ（ｎ）−Ｙ（ｎ−１）｜に画素サンプリング１回分に相当する遅延を与え、遅延回路２３＿３へ出力する。従って、ｄ２＝｜Ｙ（ｎ）−Ｙ（ｎ−１）｜となると同時に、演算器２３＿１においても、Ｙ（ｎ）とその次の輝度信号Ｙ（ｎ＋１）から、ｄ１＝｜Ｙ（ｎ＋１）−Ｙ（ｎ）｜が求められる。
遅延回路２３＿３〜遅延回路２３＿７についても、遅延回路２３＿２と同様に、それぞれ前段の遅延回路の出力値をセットし、画素サンプリング１回分に相当する遅延を与えて出力するため、画素単位の輝度信号の隣接する差分の絶対値が、遅延回路２３＿３〜遅延回路２３＿７に順次セットされ、出力されることになる。
なお、上述した複数の遅延回路は、画素サンプリングクロックに同期した動作をすることは言うまでもない。
エッジ判定回路２４では、上記の通り動作する演算器２３＿１及び遅延回路２３＿２〜２３＿７の出力値ｄ１〜ｄ７に対して、輝度信号のエッジ有無について、画素単位で判定を行う。
ここでは、輝度信号の差分絶対値が大きな値である場合であっても、例えば柱等の縦線画像のような映像信号自体に伴う輝度の変化であるか、または一発のパルス状のノイズの場合には、誤検出を行わないようにする必要がある。
図２においては、ｄ４がエッジ判定のための対象である輝度差分値（以下、絶対値を意味する）であり、その前後３個の値であるｄ１〜ｄ３及びｄ５〜ｄ７の値も含めて考慮しながら、対象輝度差分値ｄ４のエッジ有無を評価する。
ここで、
（１）輝度変化の激しい絵柄では輝度の変化をブロック境界と誤判別する可能性があるため、輝度変化のあまりない平坦な絵柄における輝度信号の場合に、ブロック境界検出を行った方が精度がよい
（２）ブロック歪のレベル変化は一定範囲に収まるため、輝度変化の上限を設定することで、パルス上のノイズとの誤判定を回避できる
といった点を考慮することで、精度の高いブロック境界の検出が可能になる。
従って、エッジ判定回路２４においては、以下の３条件によりエッジ判定を行っている。
条件１：注目している輝度信号差分値の周囲に大きな輝度信号差分値がない。
（閾値Ａ＞ｄ１）＆（閾値Ａ＞ｄ２）＆（閾値Ａ＞ｄ３）＆
（閾値Ａ＞ｄ５）＆（閾値Ａ＞ｄ６）＆（閾値Ａ＞ｄ７）
条件２：注目している輝度信号差分値は周囲の輝度信号差分値の平均より、
６／係数Ａ倍以上である
ｄ４＞（ｄ１＋ｄ２＋ｄ３＋ｄ５＋ｄ６＋ｄ７）／６×（６／係数Ａ）
∴ｄ４＞（ｄ１＋ｄ２＋ｄ３＋ｄ５＋ｄ６＋ｄ７）／係数Ａ
条件３：注目している輝度信号差分値の大きさは特定の範囲内である。
閾値Ｂ＞ｄ４＞閾値Ｃ
ここで、例えば、１０ビットの輝度信号入力に対して、Ａ＝１６，Ｂ＝４０，Ｃ＝８といった値が適用される。
以上の３条件に基づいて、実際の輝度信号がどのようにエッジ判定回路２４において評価されるかについて、図４〜６を用いて以下に説明する。
図４は、ブロック歪が視覚的に目立つ画像パターンの一例である。
図５は、ブロック歪が視覚的に目立たない画像パターンの一例である。
図６は、ブロック歪ではなく、８画素おきに存在する縦線画像パターンの一例である。
図４〜６において、白丸および黒丸で表しているものは画素単位の輝度信号のデータであり、それぞれエッジ検出回路２に取り込まれる。ここでは、８個の黒丸のそれぞれ隣接する輝度信号の７個の差分値が演算器２３＿１及び遅延回路２３＿２〜２３＿７にセットされる。
また、図４〜６において、線Ｌ１及び線Ｌ２で区切られた部位において、隣接する輝度信号の差分が大きい。この線Ｌ１で区切られた部分が現在注目している輝度信号差分ｄ１であり、この部分でのエッジ有無が、前後含めた７個の輝度信号差分値に基づいて評価される。
図４の画像パターンは、輝度信号の高周波部分が少なく、低周波部分が大部分を占めており、ブロック歪が視覚的に見えやすく、ブロック歪によるエッジを検出すべき画像パターンである。図４で、ＤＣ＿ｄｉｆｆと書かれた部分が、視覚的にブロック歪となる部分である。このような画像パターンでは、ブロック歪を誤検出する可能性が低いため、ブロック歪に伴うエッジを検出するように、上記条件１〜３が設定されている。
すなわち、全体として輝度信号が低周波であるため、注目しているｄ４以外の輝度信号差分値は小さく、上記の条件１を満足する。また、ｄ４以外の周囲の輝度信号差分値の平均値も同様に小さく、上記の条件２を満足したものとなる。
ｄ４がパルス状のノイズで生じたものでなければ、所定の範囲内の値になるため、上記の条件３も満足することとなり、以上から図４の画像パターンはｄ４の部分でエッジが検出されることとなる。
図５の画像パターンは、輝度信号に高周波成分が存在しており、ブロック歪が視覚的に目立たない画像パターンである。図５のような画像パターンについては、ブロック歪自体が目立たないため、画像の絵柄としての輝度信号の変化とブロック歪を誤判定する可能性がある。このような場合にはエッジの検出を行わないように、上記条件１〜３が設定されている。
すなわち、ｄ４の周辺の輝度信号差分値ｄ１〜ｄ３およびｄ５〜ｄ７のいずれかが所定の閾値Ａ以上となるため条件１を満足しない。また、これらの周辺の輝度信号差分値ｄ１〜ｄ３およびｄ５〜ｄ７は比較的大きな値となるため平均値も大きく、条件２を満足しない可能性がある。ｄ４がパルス状のノイズで生じたものでなければ、所定の範囲内の値になるため、上記の条件３は満足する。
従って、図５の画像パターンでは、ｄ４の部分でエッジ検出は行われない。
図６の画像パターンは、輝度信号に８画素おきの縦線が存在している。ブロック歪により生じる輝度信号差分値は、通常一定の範囲内に収まるため、図６の画像パターンで見られるように、ｄ４がその一定の範囲外の大きな輝度信号差分値の場合は、エッジの検出を行わないように、上記条件１〜３が設定されている。
すなわち、ｄ４の周辺の輝度信号差分値ｄ１〜ｄ３およびｄ５〜ｄ７は、いずれも所定の閾値Ａ以下となるため条件１を満足し、その周辺の輝度信号差分値ｄ１〜ｄ３およびｄ５〜ｄ７の平均値も小さくなるため、条件２も満足する。しかし、条件３においては、ｄ４が想定しているブロック歪のレベルを超えているため満足せず、従って、図６の画像パターンでは、ｄ４の部分でエッジ検出は行われない。
以上、図４〜６を用いて説明したように、上記条件１〜３を設定することで、高周波成分が多い輝度信号を持つ画像パターンや、縦線やパルス状のノイズを含む画像に対しては、エッジの検出を行わず、高周波成分が少なくブロック境界が捉えやすい輝度信号に対してのみエッジ検出を行うことにより、ブロック境界位置の誤判定を低減することが可能となる。
もちろん、上記条件１〜３の全ての条件を設定しない場合でも、ある程度ブロック境界位置の誤判定を低減することが可能である。
例えば、上記条件１及び条件２のみ適用した場合には、輝度信号がパルス状のノイズを含んでいる場合に誤判定をする可能性があるが、輝度信号が高周波成分を含まない安定した信号に対してエッジ検出を行うことが可能となる。また、条件３を単独で適用した場合には、少なくともパルス状のノイズに対して誤判定を起こさない利点がある。
エッジ判定回路２４は、図２のエッジ判定結果の信号Ｓ２４として、上記の条件１〜３が全て合致した場合のみ１を出力し、それ以外の場合は０を出力する。
なお、閾値Ａ，閾値Ｂ，閾値Ｃおよび係数Ａは、ブロック歪低減装置１の前段にあるシステムの構成により最適値が多少変化するため、外部から設定できるようにすることが望ましい。
次に、エッジカウント回路３の回路の動作について、図３を用いて説明する。
まず、エッジ検出回路２におけるエッジ判定回路２４から、エッジ判定結果の出力信号Ｓ２４（エッジ有：「１」、エッジ無：「０」）が、エッジカウント回路３に対して、画素のサンプリング単位で順次入力される。
水平位置設定カウンタ３１は、画素単位でカウントアップし、カウンタ切替スイッチ３２はそれに応じてカウンタ接点の接続位置を、順次カウンタ接点３３＿１→カウンタ接点３３＿２→…のように切り換える。水平位置設定カウンタ３１は、映像の水平同期信号に同期したタイミングでリセットされるため、映像の水平位置に従って順次エッジ回数カウンタ３４＿１〜３４＿１６に、エッジ判定結果の出力信号Ｓ２４（「１」または「０」）がカウントされる。
エッジ回数カウンタ３４＿１〜３４＿１６は、映像の垂直同期信号に同期したタイミングでカウント値はリセットされるので、以上の動作が画像の１フィールド毎に行われることになる。
なお、後述するように、映像の垂直同期信号に同期したタイミングでカウント値がリセットされる直前のカウント値は、エッジ回数カウンタ３４＿１〜３４＿１６が信号Ｓ２４を取り込んだ順序で、境界判別回路４に取り込まれる。
ここで、エッジ回数カウンタを通常ブロック歪が発生する画素間隔である８個ではなく、８の倍数である１６個で構成している理由は、画面上に柱等の縦線が存在した場合に、偶然に１つのカウンタの値のみが増加することにより誤検出を行う可能性を防止して、ブロック境界検出性能を向上させるためである。
境界判別回路４で行われる誤検出防止の評価手法については、後述する。
図７は、水平位置設定カウンタ３１の動作を説明するためのタイミングチャートである。図７において、（Ａ）は画素のサンプリングクロックＣＬＫを、（Ｂ）は画像の水平同期信号Ｈ＿ＳＹＮＣを、（Ｃ）は水平位置設定カウンタ３１のカウント値Ｈ＿ＣＴＲを、それぞれ示す。
図７に示すように、画像のサンプリングクロックＣＬＫに同期して水平位置設定カウンタ３１のカウント値Ｈ＿ＣＴＲがカウントアップされ、画像の水平同期信号Ｈ＿ＳＹＮＣに同期したタイミングでカウント値Ｈ＿ＣＴＲがリセットされる。従って、画像の水平同期信号Ｈ＿ＳＹＮＣに同期したタイミングで水平位置設定カウンタ３１のカウント値Ｈ＿ＣＴＲをリセットすることにより、画面の位置に対応して、エッジ回数カウンタ３４＿１〜３４＿１６のいずれのカウンタにエッジ検出結果の信号Ｓ２４（「１」または「０」）が取り込まれるか決定されることになる。
上述したように、エッジ回数カウンタ３４＿１〜３４＿１６のカウンタ群に画素単位で順次、エッジ検出結果がカウントアップされる。
図８は、エッジ回数カウンタ３４＿１〜３４＿１６の画像の垂直同期信号に同期したタイミングで行われる動作を説明するためのタイミングチャートである。図８において、（Ａ）は画素のサンプリングクロックＣＬＫを、（Ｂ）は画像の垂直同期信号Ｖ＿ＳＹＮＣを、（Ｃ）はエッジ回数カウンタ３４＿１〜３４＿１６のカウント値Ｅ＿ＣＴＲを、（Ｄ）は後述する境界判別回路４におけるカウント値ソート部４１のレジスタ値ＳＯＲＴ＿Ｒを、それぞれ示す。
図８において、エッジ回数カウンタ３４＿１〜３４＿１６は、垂直同期信号Ｖ＿ＳＹＮＣに同期したタイミングで、カウンタ内の各カウント値Ｅ＿ＣＴＲはリセットされて、リセットされる直前の値ＣＮＴｎは、後述する境界判別回路４におけるカウント値ソート部４１のレジスタに取り込まれる。
エッジ回数カウンタ３４＿１〜３４＿１６の各カウント値Ｅ＿ＣＴＲは、エッジ検出結果の信号Ｓ２４をエッジ回数カウンタ３４＿１〜３４＿１６が取り込んだ順序に従って、カウント値ソート部４１のレジスクに取り込まれる。従って、エッジ検出結果の信号Ｓ２４が、例えばエッジ回数カウンタ３４＿１→３４＿２→…の順序で取り込まれたとすれば、それらのカウント値はＳ３４＿１→Ｓ３４＿２→…の順序で境界判別回路４のカウント値ソート部４１に取り込まれる。
次に、境界判別回路４の動作について、図３を参照して説明する。
カウント値ソート部４１では、上述のとおり、画面の垂直同期信号に同期したタイミングで、エッジカウント回路３のエッジ回数カウンタ３４＿１〜３４＿１６の各カウント値を取り込み、カウント値に基づいて昇順に並べ替える。
その際、エッジ検出結果の信号Ｓ２４をエッジ回数カウンタ３４＿１〜３４＿１６が取り込んだ順序、すなわち、カウンタ切替スイッチ３２の切替え順に、各カウント値がカウント値ソート部４１に取り込まれる。さらに、カウント値ソート部４１は、取り込んだエッジ回数カウンタ３４＿１〜３４＿１６の各カウント値を昇順に並べ替える。
並べ替えられたカウント値の結果は、ブロック境界評価のため、ブロック境界判定部４２に出力される。
ブロック境界判定部４２では、カウント値ソート部４１でレジスタにセットされて並べ替えられたカウント値を評価し、１６画素分の輝度信号間にブロック境界が含まれているか否かを判定する。１６画素分の輝度信号を評価することにより、通常８画素おきに発生するブロック歪を誤検出なく確実に検出することができる。
例えば、画面上に柱等の縦線が存在した場合に、偶然に１つのカウンタの値のみが増加することによって、誤検出を行う可能性を防止することが可能となるため、ブロック境界検出の性能を向上させることができる。また、１６個のエッジ回数カウンタで構成している場合は、１６画素ごとにあらわれるブロック歪にも簡単に対応できるという利点がある。
ブロック境界判定部４２は、以下の３条件を満足する場合にブロック境界を検出できたと判断する。
条件４：第１番目と第２番目にカウント値の大きいカウンタを、カウント値ソート部４１へ取り込んだ順序の差が８
条件５：第２番目に値の大きいカウント値が閾値Ｄ以上
条件６：第２番目に値の大きいカウント値が、第３番目に値の大きいカウント値に対して所定の比率閾値Ｅ以上
上記の条件４は、一般的なＭＰＥＧ２信号等の場合では、８画素ごとにブロック歪が現れるという特徴を考慮している。例えば、カウンタ切替スイッチ３２は、水平位置設定カウンタ３１により、画像の水平同期信号に同期したタイミングで切り換えられるため、エッジ検出結果の出力値は、エッジ回数カウンタ３４＿１〜３４＿１６により、３４＿１→３４＿２→…の順でカウントされる。水平位置設定カウンタ３１のカウント値は画面の水平位置に対応するため、８画素おきにブロック歪が現れる場合、例えばエッジ回数カウンタ３４＿１のカウント値が大きい値であれば、そこから８画素分水平位置でずれた位置のエッジをカウントするエッジ回数カウンタ３４＿９についても大きいカウント値となっている。
従って、並べ替えられたレジスタ内のカウント値の第１番目に大きいカウント値のカウンタと第２番目に大きいカウント値のカウンタを、カウント値ソート部４１に取り込んだ順序が８の差であれば、ブロック歪と判断することが可能である。
また、一般的なブロック歪の場合、上述のとおり、８画素おきに現れるため、第２番目に大きいカウント値も所定の値以上になる。
従って、上記の条件５を備えることで、柱等の縦線を含んだ画像やパルス状のノイズがカウント値に反映されていた場合には、１番目に大きいカウント値のみが大きな値を示し、第２番目に大きいカウント値は大きな値を示さないため、これらを排除でき、ブロック歪を誤検出する可能性を低減させることができる。
さらに、エッジ判定回路２４は、上述の条件１に示したように、画像の比較的平坦な部分を捉えてエッジ検出を行っているため、ブロック歪を検出している場合には、第１番目及び第２番目に大きいカウント値が突出しており、第３番目以降に大きいカウント値はこれらと比較して小さな値となる。そうでない場合は、ブロック歪以外のノイズをカウントしていることになり、ブロック歪と誤判定する可能性がある。
従って、第２番目に値の大きいカウント値が、第３番目に値の大きいカウント値に対して所定の比率以上のときに、ブロック歪を検出することとする。すなわち、上記の条件６を付加することで、誤検出の可能性を低減させることができるのである。
もっとも、上記の条件４〜６を全て適用しない場合であっても、ある程度のブロック歪に対する誤検出低減性能は確保される。例えば、条件４のみを適用しても、８画素おきに発生するブロック歪に対して検出効果があり、条件４に対して、条件５または条件６を付加することで、ブロック歪を誤検出する可能性は、相対的に低くなる。
なお、上記条件５および６における閾値Ｄおよび閾値Ｅは、前述の閾値Ａ〜Ｃ等と同様、システムの構成により最適値が多少変化するため，外部から設定できるようにすることが望ましい。
ブロック境界判定部４２においては、上記条件４〜６の３条件に基づいて、エッジ回数カウンタ３４＿１〜３４＿１６のカウント値を垂直同期信号のタイミング毎に評価して、３条件を全て満足した場合には、ブロック境界であると判定する。判定結果は、時間積分部４３へ出力される。例えば、エッジ検出結果の出力信号Ｓ２４と同様、ブロック境界であると判定した場合は１を、そうでない場合は０を出力してもよい。
ブロック境界であると判定した場合、ブロック境界判定部４２は、後段の時間積分部４３に対して、どの輝度信号間がブロック境界であるかというブロック境界位置の情報も出力する。前述のとおり、水平位置がエッジ回数カウンタ３４＿１〜３４＿１６のカウント値のカウント値ソート部４１への取り込み順序に対応しているため、各カウント値と水平位置を逐次関連付けることが可能である。
時間積分部４３では、ブロック境界判定部４２でブロック境界を検出できた場合、さらにその検出結果に基づいて、一定時間の間、時間積分を行う。
時間積分は、ブロック境界判定部４２からの情報であるフィールド毎のブロック境界位置が所定時間、例えば２フィールド〜４フィールドの間、同じブロック境界位置である場合には、その位置がブロック境界位置であることを確定する。すなわち、時間積分を行うことにより、ブロック境界位置に対する確からしさを向上させる。
時間積分部４３は、確定したブロック境界位置並びにフィルタリングＯＮ／ＯＦＦについての情報をフィルタ５に出力する。
フィルタ５では、ブロック歪のある輝度信号近辺にのみブロック歪を低減するフィルタリング処理を行う。これにより、画像の高画質化を行うことができる。なお、フィルタリング処理については、すでに存在する公知の技術を適用することが可能である。
以上、ブロック歪検出装置１の動作を説明したように、ブロック歪検出装置１は、エッジ検出回路２と、エッジカウント回路３と、境界判別回路４と、フィルタ５とを備え、エッジ検出回路２においては、画素単位の輝度信号差分に基づいて、エッジを検出する。エッジカウント回路３は、１６個のカウンタを備え、検出されたエッジを、画像の水平同期信号に同期したタイミングで順次、該１６個のカウンタでカウントし、これを画像のフィールド単位で行う。境界判別回路４では、カウント結果に応じて、ブロック境界を判定し、その判定結果の時間積分からブロック境界位置を確定し、確定したブロック境界位置の画素単位の輝度信号に対してフィルタリング処理を行うことにより、ブロック歪が低減される。
なお、本発明は、上記の実施形態の説明に限定されず、本発明の要旨を逸脱しない範囲で、種々の変更が可能である。
上記の実施形態では、エッジ検出回路２の演算器２３＿１及び遅延回路２３＿２〜２３＿７において、入力した連続８個の輝度信号の差分値を保持するとしたが、８個に限定されず、それ以上、例えば連続１６個の輝度信号の差分値を保持するように構成しても構わない。
入力した輝度信号が奇数個の場合には、保持する差分値は偶数個となり、それらの中心値である注目輝度差分値は２つになり１つに定まらないが、予めいずれを取るか設定しておけば問題はない。
また、そのように演算器２３＿１及び遅延回路群を構成した場合、エッジ判定回路２４で行われる判定条件１〜３および閾値Ａ〜Ｃ、係数Ａを、同様の考え方で設定しなおす必要があることは言うまでもない。
また、上記の実施形態では、エッジ回数カウンタ３４＿１〜３４＿１６は１６個のカウンタにより構成されるが、１６以上で８の倍数個であれば、１６個に限定されない。例えば、２４個のエッジカウンタにより構成した場合には、ブロック境界判定部４２における判定条件（条件４〜６）をさらに誤検出しにくい設定とすることも可能となる。すなわち、８画素おきに２つの縦線がある場合であっても、誤検出が起こらない。その場合には、条件４においてカウント値の大きい順に３番目までを評価するなどの変更が必要となる。
エッジ回数カウンタを、例えば２４個のカウンタにより構成するとした場合には、それに応じて水平位置設定カウンタ３１を４ビットから５ビットにする等の変更が必要になることは言うまでもない。
上記の実施形態では、８画素おきにブロック歪が発生する輝度信号の場合について説明したが、８画素に限らず、例えば１６画素おきにブロック歪が発生する場合についても適用が可能である。
その場合は、エッジカウント回路３のエッジ回数カウンタを３２の複数倍のカウンタから構成し、水平位置設定カウンタ３１を例えば６ビットカウンタとすれば、１６画素おきに発生するエッジをエッジ回数カウンタで検出することが可能となる。
また、上記の実施形態においては、エッジカウント回路３の水平位置設定カウンタ３１は、画素のサンプリングクロックのタイミングに合わせてカウントアップするとしているが、カウントアップに限らず、所定の初期値からカウントダウンさせてもよい。
その場合は、ブロック境界判定部４２における判定条件（条件４〜６）は、以下の条件４’〜６’のようになる。
条件４’：第１番目と第２番目にカウント値の小さいカウンタを、カウント値ソート部４１へ取り込んだ順序の差が８
条件５’：第２番目に値の小さいカウント値が閾値Ｄ以下
条件６’：第２番目に値の小さいカウント値と第３番目に値の小さいカウント値を比較して所定の比率閾値Ｅ以下
第２の実施の形態
次に、本発明の映像信号処理装置の一実施形態について、説明する。
図９は、第２の実施の形態に係る映像信号処理装置のブロック図である。
図９に示すとおり、第２の実施の形態では、衛星放送（ＳＡＴ）から、例えばケーブルテレビ（Ｃ＿ＴＶ）に映像信号が配信され、ケーブルテレビ（Ｃ＿ＴＶ）からアナログ放送（ＡＮＧ＿Ｂ）をセットトップボックス（ＢＯＸ）経由で、例えばＴＶセット等の映像信号処理装置１００が受信する。
ここで、衛星放送ＳＡＴから配信される映像信号は、ＭＰＥＧのブロック符号化によるブロック歪が含まれている。そして、このブロック歪が含まれている映像デジタル信号は、ケーブルテレビＣ＿ＴＶによってアナログに変換されるため、ブロック歪の境界に関する情報が失われている。
映像信号処理装置１００は、このようなブロック歪を含んだアナログ映像信号を、アナログコンポジット信号（ＣＰＳ）の形で受信し、処理する。
図９に示すとおり、第２の実施の形態における映像信号処理装置１００は、Ａ／Ｄ変換器（Ａ／Ｄ）１１０と、ＹＣ分離部（ＹＣＳ）１２０と、ブロック歪検出部１３０とを有する。
以下、映像信号処理装置１００の動作について、図９に従って、説明する。
Ａ／Ｄ変換器１１０は、ブロック歪を含んだアナログコンポジット信号（ＣＰＳ）を入力し、Ａ／Ｄ変換を行って、デジタル信号Ｓ１１０をＹＣ分離部１２０へ供給する。
ＹＣ分離部１２０では、デジタルコンポジット信号であるＳ１１０を入力し、ＹＣ分離を行う。分離された映像輝度信号は、信号Ｓ１２０として、ブロック歪検出部１３０へ供給される。
以上のＡ／Ｄ変換器１１０及びＹＣ分離部１２０においては、映像信号処理装置１００が入力したアナログコンポジット信号（ＣＰＳ）から、ブロック歪は除去されていない。
ブロック歪検出部１３０は、ＹＣ分離部１２０で分離された映像輝度信号Ｓ１２０を入力し、ブロック歪を検出し、検出したブロック歪に応じて、入力した映像輝度信号にフィルタリング処理を施す。
ブロック歪検出部１３０の構成及び動作は、第１の実施の形態で説明したブロック歪検出装置１と同じである。従って、映像信号処理装置１００が入力したアナログ映像信号に含まれているブロック歪が低減される。
第３の実施の形態
次に、本発明の第３の実施の形態における映像信号処理装置について、説明する。
図１０は、第３の実施の形態に係る映像信号処理装置のブロック図である。図１０に示すとおり、第３の実施の形態では、ＴＶセット等の映像信号処理装置は、例えば、ＤＶＤプレーヤやビデオＣＤの映像信号を、アナログコンポーネント信号ＣＭＰまたはアナログコンポジット信号ＣＰＳとして、受信する。
ここで、ＤＶＤプレーヤやビデオＣＤからの映像信号は、ＭＰＥＧのブロック符号化によるブロック歪が含まれたアナログコンポジット信号ＣＰＳまたはアナログコンポーネント信号（ＣＭＰ）であり、すでにブロック境界に関する情報は失われている。
図１０に示すとおり、第３の実施の形態における映像信号処理装置１００ａは、Ａ／Ｄ変換器（Ａ／Ｄ）１１０ａと、ＹＣ分離部（ＹＣＳ）１２０ａと、ブロック歪検出部１３０ａとを有する。
映像信号処理装置１００ａの上記の各構成要素は、第２の実施の形態における映像信号処理装置１００のＡ／Ｄ変換器１１０、ＹＣ分離部１２０及びブロック歪検出部１３０に対応し、同じ動作であるため、映像信号処理装置１００ａが入力したアナログ映像信号に含まれているブロック歪が低減される。
なお、映像信号処理装置１００ａの動作において、入力信号がアナログコンポーネント信号ＣＭＰの場合は、ＹＣ分離部１２０ａによりＹＣ分離が行われないことは言うまでもない。
以上説明したように、第２及び第３の実施の形態に係る映像信号処理装置は、ブロック歪を含むアナログ映像データを入力してＡ／Ｄ変換が施された映像輝度信号、若しくは必要に応じてさらにＹＣ分離部により得られる映像輝度信号に基づいて、ブロック歪を検出する。
ブロック歪検出部１３０，１３０ａは、第１の実施の形態に係るブロック歪検出装置１と同様の構成および動作を行う。これにより、ブロック境界位置の誤判定が低減された高品質な画像が得られる。
【産業上の利用可能性】  本発明は、ブロック符号化された画像データを再生する映像再生装置などに適用可能である。
【図１】
2005004489.tif 000003
【図２】
2005004489.tif 000004
【図３】
2005004489.tif 000005
【図４】
2005004489.tif 000006
【図５】
2005004489.tif 000007
【図６】
2005004489.tif 000008
【図７】
2005004489.tif 000009
【図８】
2005004489.tif 000010
【図９】
2005004489.tif 000011
【図１０】
2005004489.tif 000012
【国際調査報告】
2005004489.tif 000013
2005004489.tif 000014